(57)【要約】      （修正有）【課題】塩化物イオンを含む被処理水を生物処理する際に、外部からの希釈水が不要な脱塩水回収装置、水処理システム及び水処理方法の提供。【解決手段】塩化物イオンを含む被処理水を生物処理する生物処理装置２の後段に配置されて、生物処理装置２で処理された処理水中から脱塩水を回収する脱塩水回収装置３と、脱塩水回収装置３で回収した脱塩水を生物処理装置２に循環返送する水処理システム１ａ及びこれを用いた水処理方法。【選択図】図１
2019147098.tif 000002
【特許請求の範囲】
【請求項１】
塩化物イオンを含む被処理水を生物処理する生物処理装置の後段に配置されて、
前記生物処理装置で処理された処理水から塩化物イオンを除いた脱塩水を回収することを特徴とする、脱塩水回収装置。
【請求項２】
塩化物イオンを含む被処理水を生物処理する生物処理装置と、
請求項１に記載された脱塩水回収装置と、
前記脱塩水回収装置で回収した前記脱塩水を、前記生物処理装置に循環返送する返送手段と、を備えることを特徴とする、水処理システム。
【請求項３】
前記生物処理装置に循環返送する前記脱塩水の給水量を制御する給水量制御手段と、を備え、
前記給水量制御手段は、前記生物処理装置内の被処理水の塩化物イオン濃度が海水の塩化物イオン濃度レベル以下となるように前記給水量を制御することを特徴とする、請求項２に記載の水処理システム。
【請求項４】
塩化物イオンを含む被処理水を生物処理する水処理方法であって、
被処理水を生物処理する生物処理工程と、
前記生物処理工程で処理された処理水から塩化物イオンを除いた脱塩水を回収する脱塩水回収工程と、
前記脱塩水回収工程で回収した脱塩水を、前記生物処理工程に循環返送する循環返送工程と、を備えることを特徴とする、水処理方法。
【発明の詳細な説明】
【技術分野】
【０００１】
本発明は、脱塩水回収装置、水処理システム及び水処理方法に関するものである。詳しくは、本発明は、塩化物イオンを含む被処理水を生物処理する水処理システム及び水処理方法に関するものである。
【背景技術】
【０００２】
廃棄物の埋立最終処分場から発生する浸出水は、塩類及び有機物等を含んでいるため、公共水域に排出する前には処理を行う必要がある。例えば、浸出水の処理としては、活性汚泥処理や脱塩処理が行われる。
【０００３】
例えば、特許文献１には、塩類及び有機物等を含む浸出水の処理装置として、脱窒槽を含む生物処理装置及び逆浸透膜装置を備える装置が記載されており、生物処理を行った後に逆浸透膜処理を行い、逆浸透膜装置で脱塩処理された処理水は系外に排出し、濃縮水は産業廃棄物として処理することが記載されている。また、特許文献１には、逆浸透膜装置の洗浄水として塩酸を用い、逆浸透膜装置の膜洗浄廃水を生物処理装置に返送すると、塩化物イオンは生物処理では処理できないために、逆浸透膜装置に供給する塩化物イオン濃度が上昇し、逆浸透膜への供給圧力を高める必要が出てくるため、逆浸透膜装置の洗浄水として硝酸を用いることが記載されている。
【先行技術文献】
【特許文献】
【０００４】
【特許文献１】特開２００７−０２１４５７号公報
【発明の概要】
【発明が解決しようとする課題】
【０００５】
最終処分場に廃棄される廃棄物によっては、浸出水の塩化物イオン濃度が高くなる場合がある。一方、浸出水の塩化物イオン濃度が高くなりすぎると、微生物による活性汚泥処理などの生物処理において、微生物の失活、死滅、増殖の低下などの障害をもたらすという問題がある。
【０００６】
生物処理の段階において塩化物イオン濃度を下げる手段としては、生物処理装置に供給する被処理水に対して、電気透析装置などで脱塩処理を行うことや希釈水による希釈を行うことが考えられる。しかし、浸出水のような大量の被処理水を電気透析装置などによる脱塩処理に供することは、コストや設備の面から有効な手段とは言えない。また、希釈水による希釈は、外部から希釈水を供給する場合、被処理水の量が増大するために他の処理設備などが大きくなり、コスト増大につながってしまう。また、浸出水の処理設備は山間地に設けられることが多く、外部から希釈水として多量の淡水を供給することは困難である。
【０００７】
そこで、本発明の課題は、浸出水のように塩化物イオンを含む被処理水を生物処理する際に、外部からの希釈水を用いることなく生物処理を可能とするための脱塩水回収装置、水処理システム及び水処理方法を提供することである。
【課題を解決するための手段】
【０００８】
本発明者は、上記の課題について鋭意検討した結果、塩化物イオンを含む被処理水を生物処理する際に、生物処理装置の後段で脱塩水を回収する装置を設け、生物処理装置に循環返送することで、生物処理装置内の塩化物イオン濃度を低減させることが可能となることを見出した。
すなわち、本発明は、以下の脱塩水回収装置、水処理システム及び水処理方法である。
【０００９】
上記課題を解決するための本発明の脱塩水回収装置は、塩化物イオンを含む被処理水を生物処理する生物処理装置の後段に配置されて、生物処理装置で処理された処理水から塩化物イオンを除いた脱塩水を回収することを特徴とする。
【００１０】
この脱塩水回収装置によれば、生物処理装置で処理された処理水中から脱塩水を回収することで、外部からの供給によらない希釈水を得ることが可能となる。
また、本発明の脱塩水回収装置は、既設の生物処理装置に対して容易に追加して配設することができるため、外部から淡水を得にくい場所に配設されている生物処理装置に対して好適に適用可能である。
【００１１】
また、上記課題を解決するための本発明の水処理システムは、塩化物イオンを含む被処理水を生物処理する生物処理装置と、上記脱塩水回収装置と、脱塩水回収装置で回収した脱塩水を、生物処理装置に循環返送する返送手段と、を備えることを特徴とする。
この水処理システムによれば、脱塩水回収装置で得られた脱塩水を希釈水として生物処理装置に循環返送することで、外部から希釈水を供給することなく生物処理装置内における塩化物イオン濃度を低減させることができる。これにより、生物処理装置内を微生物が活動しやすい環境とすることが可能になるという効果を奏する。
また、本発明の水処理システムは、外部からの希釈水が不要であるため、外部から淡水を得にくい場所に配設することが可能であるという効果も奏する。
【００１２】
更に、本発明の水処理システムの一実施形態としては、生物処理装置に循環返送する脱塩水の給水量を制御する給水量制御手段と、を備え、給水量制御手段は、生物処理装置内の被処理水の塩化物イオン濃度が海水の塩化物イオン濃度レベル以下となるように給水量を制御することを特徴とする。
この特徴によれば、生物処理装置内の塩化物イオン濃度を、微生物の活性を阻害する閾値とされる塩化物イオン濃度以下とすることができる。また、希釈水の供給量を制御することで、生物処理装置内の急激な塩化物イオン濃度の変化を防ぎ、微生物自体にダメージを与えないように、生物処理装置内の環境を整えることができる。
【００１３】
また、本発明の水処理方法は、被処理水を生物処理する生物処理工程と、生物処理工程で処理された処理水から塩化物イオンを除いた脱塩水を回収する脱塩水回収工程と、脱塩水回収工程で回収した脱塩水を、生物処理工程に循環返送する循環返送工程と、を備えることを特徴とする。
この水処理方法によれば、外部からの希釈水を供給することなく、生物処理装置内の塩化物イオン濃度を微生物の活性を阻害しないレベルまで低減させることが可能となる。その結果、生物処理装置内での反応が進みやすい環境とすることができ、処理水質の安定につながるという効果を奏する。
また、外部からの希釈水を用いないことで被処理水の総量が増えないため、水処理によって放流される水量が増加しない。よって、特に放流先が公共水域である場合、公共水域における環境負荷を増加させないという効果も奏する。
【発明の効果】
【００１４】
本発明によれば、浸出水のように塩化物イオンを含む被処理水を生物処理する際に、外部からの希釈水を用いることなく生物処理を可能とするための脱塩水回収装置、水処理システム及び水処理方法を提供することができる。
【図面の簡単な説明】
【００１５】
【図１】本発明の第１の実施形態の脱塩水回収装置及び水処理システムの構成を示す概略図である。
【図２】本発明の第１の実施形態の脱塩水回収装置及び水処理システムの別の構成を示す概略図である。
【図３】本発明の第１の実施形態の脱塩水回収装置及び水処理システムを用いた処理の一例を示すフロー図である
【図４】本発明の第２の実施形態の脱塩水回収装置及び水処理システムの構成を示す概略図である。
【図５】本発明の第３の実施形態の脱塩水回収装置及び水処理システムの構成を示す概略図である。
【図６】従来の水処理システムの構成を示す概略図である。
【発明を実施するための形態】
【００１６】
以下に、本発明の好適な実施形態について図面を参照しながら説明する。なお、本発明の水処理方法については、以下の脱塩水回収装置及び水処理システムの構成並びに作動の説明に置き換えるものとする。また、この実施形態は、本発明を限定するものではない。
【００１７】
本発明の脱塩水回収装置及び水処理システムは、塩化物イオンを含む被処理水の生物処理に利用するためのものである。
【００１８】
本発明の脱塩水回収装置及び水処理システムにより処理する被処理水の種類は、塩化物イオンを含む被処理水であれば特に制限されないが、廃棄物の埋立最終処分場からの浸出水を対象とすることが好ましい。
【００１９】
〔第１の実施形態〕
図１は、本発明の第１の実施形態の脱塩水回収装置及び水処理システムの構成を示す概略図である。
本実施形態の水処理システム１ａは、塩化物イオンを含む被処理水Ｗを処理するものであり、図１に示すように、生物処理装置２と、脱塩水回収装置３と、それぞれの装置に接続されたラインＬ１〜Ｌ４とを備えている。図１において、矢印は水の流れを示すものである。
【００２０】
生物処理装置２は、被処理水Ｗ中の有機物及び窒素成分を処理するための装置であり、活性汚泥が投入された生物処理槽２１を備える。図１に示すように、塩化物イオンを含む被処理水Ｗが、ラインＬ１を介して生物処理槽２１内に供給される。
なお、生物処理槽２１としては、被処理水Ｗ中の有機物及び窒素成分を処理できるものであれば特に限定されない。例えば、硝化菌を含む活性汚泥が投入された硝化槽や、脱窒菌を含む活性汚泥が投入された脱窒槽などが挙げられる。硝化槽は、酸化性（好気性）雰囲気下において硝化菌によりアンモニア性窒素を酸化態窒素に酸化するものである。また、脱窒槽は、還元性（嫌気性）雰囲気下において脱窒菌により酸化態窒素を窒素ガスに還元するものである。これらの生物処理槽２１は単独で用いてもよく、複数の槽を組み合わせたものとしてもよい。
生物処理槽２１で処理を行った後、処理水Ｗ１はラインＬ２を介して脱塩水回収装置３に供給される。
【００２１】
脱塩水回収装置３は、生物処理装置２の後段に設けられ、処理水Ｗ１から塩化物イオンを除いた脱塩水Ｗ２を回収するための装置である。第１の実施形態の水処理システムでは、脱塩水回収装置３として、逆浸透膜装置３１を具備する。脱塩水回収装置３としては、脱塩水Ｗ２を回収するものであればよく、逆浸透膜装置３１の他にも、例えば、電気透析装置、蒸留装置などが挙げられるが、脱塩水Ｗ２中の重金属の除去や、消費エネルギーなどを考慮すると、逆浸透膜装置を用いることが特に好ましい。
なお、脱塩水回収装置３により回収される脱塩水Ｗ２は、処理水Ｗ１から塩化物イオンを高度に除去したものに限定されず、処理水Ｗ１から塩化物イオンを除いて塩化物イオン濃度を低減したものを含む。
【００２２】
本実施形態における脱塩水回収装置３としての逆浸透膜装置３１は、生物処理槽２１からの処理水Ｗ１を、脱塩水Ｗ２と濃縮水Ｗ３に分離するためのものである。ここで、逆浸透膜装置３１として用いる逆浸透膜については、塩化物イオンを除去した脱塩水Ｗ２を回収できるものであれば、特に限定されない。また、本実施形態における逆浸透膜として、ナノフィルター（ＮＦ膜）のように塩化物イオンの除去率が比較的低いものを用いてもよい。
逆浸透膜装置３１を用いた場合、逆浸透膜の組成や孔径、ポンプの性能に応じて、処理水Ｗ１の濃縮倍率を制御することが可能であるが、本実施形態においては、比較的低い濃縮倍率とすることがより好ましい。これにより、濃縮水Ｗ３中に含まれる塩濃度を低くすることができるため、濃縮水Ｗ３をそのまま公共水域に放流可能となるようにすることができる。
【００２３】
また、逆浸透膜装置３１には、脱塩水Ｗ２を生物処理槽２１に循環返送する返送手段として、ラインＬ３が設けられている。なお、ラインＬ４は濃縮水Ｗ３の流路を示す。
返送手段であるラインＬ３を介して脱塩水Ｗ２を生物処理槽２１に返送することで、脱塩水Ｗ２は希釈水として生物処理槽２１に供給される。これにより、生物処理槽２１内の塩化物イオン濃度を低く維持することができ、生物処理槽２１内における微生物の活性低下を防ぐことが可能となる。
【００２４】
なお、本実施形態における水処理システム１ａは、図２に示すように、脱塩水回収装置３からの脱塩水Ｗ２を生物処理装置２へ返送する返送手段であるラインＬ３上に、貯留槽４を配設し、貯留槽４の水面付近に設けられた漏斗状の供給口４１を介して、貯留槽４の越水分が生物処理槽２１に供給されるものとしてもよい。これにより、希釈水として脱塩水Ｗ２を生物処理槽２１に返送する際に、簡易な構造により脱塩水Ｗ２の添加量を調整することが容易となる。
【００２５】
図６は、逆浸透膜装置を用いた従来の水処理システムの概略図である。なお、本発明の水処理システム１ａと共通する構造については、同じ番号を付与し、説明を省略する。
図６に示したように、逆浸透膜装置を用いた従来の水処理システム１０においては、逆浸透膜装置３２からの脱塩水Ｗ１２は、ラインＬ１１を介して系外に排出する。このため、生物処理槽２１からの処理水Ｗ１１のほぼ全量を逆浸透膜装置３２に通過させる一方、濃縮水Ｗ１３の水量を抑えるために、逆浸透膜装置３２においては高い濃縮倍率が必要となっていた。このため、図５に示すように、従来の水処理システム１０においては、逆浸透膜装置３２からラインＬ１２を介して排出される濃縮水Ｗ１３は放流可能な水質を満たすことができず、乾燥による固形化あるいは産業廃棄物として場外処理するなどの処分が必要とされていた。
一方、本実施形態の水処理システム１ａにおいては、逆浸透膜を通過する処理水Ｗ１の水量は、生物処理槽２１に返送するための脱塩水Ｗ２の水量を得ることができればよく、逆浸透膜装置３１における高い濃縮倍率は不要である。したがって、濃縮水Ｗ３は、生物処理が行われた処理水であって、かつ公共水域に放流可能な水質を満たすような塩濃度の処理水とすることができる。これにより、脱塩水Ｗ２を回収後、濃縮水Ｗ３を乾燥処理や場外処理に供することなく、ラインＬ４を介して公共水域に放流することが可能となる。
【００２６】
図３は、本実施形態の水処理システム１ａによる処理の具体的な実施例を示すフロー図である。水処理システム１ａにおける装置の構成は、図１と同様である。なお、図３中のカッコ内の数字（(1)〜(4)）は、処理の順番を示すものである。
例えば、被処理水Ｗ中の塩化物イオン濃度が２．８％、水量が１００ｍ３／日でラインＬ１を介して被処理水Ｗが流入する場合（順(1)）、逆浸透膜装置３１における濃縮倍率を１．５倍とすると、逆浸透膜装置３１から水量が５０ｍ３／日の脱塩水Ｗ２が得られる（順(2)）。この脱塩水Ｗ２をラインＬ３を介して生物処理槽２１内に返送し希釈水とすることで、生物処理槽２１内の塩化物イオン濃度は１．８７％となる（順(3)）。希釈後、ラインＬ２を介して排出される生物処理槽２１からの処理水Ｗ１の水量は１５０ｍ３／日となるが、逆浸透膜装置３１において水量１００ｍ３／日の濃縮水Ｗ３（ラインＬ４）と水量５０ｍ３／日の脱塩水Ｗ２（ラインＬ３）とに分離される（順(4)）。なお、このとき、濃縮水Ｗ３中の塩化物イオン濃度はもともとの被処理水Ｗ中の塩化物イオン濃度と同等の濃度に戻るが、生物処理された状態で放流されることになる。これにより、生物処理槽２１内のみ塩化物イオン濃度が低い環境を作り出すことが可能となる。
【００２７】
また、外部から希釈水を供給する場合と異なり、本実施形態の水処理システム１ａにおいては、図３に示すように、放流される濃縮水Ｗ３の水量は、もともとの被処理水Ｗの水量から増加しない。したがって、公共水域への環境負荷を増加させることがないという効果も奏する。
【００２８】
〔第２の実施形態〕
図４は、本発明の第２の実施形態の脱塩水回収装置及び水処理システムの構成を示す概略図である。
第２の実施形態の水処理システム１ｂは、第１の実施形態において、脱塩水回収装置３から生物処理装置２へ返送する脱塩水Ｗ２の水量を調整する給水量制御手段５を設けるものである。
給水量制御手段５は、図４に示すように、脱塩水Ｗ２を一時貯留する受水槽５１と、生物処理槽２１内に返送する脱塩水Ｗ２の水量調節のための給水ポンプ５２と、生物処理槽２１内の塩化物イオン濃度を測定する測定器５３からなり、測定器５３の測定結果に応じて給水ポンプ５２が制御可能となるように接続されている。なお、測定器５３は、塩化物イオン濃度を測定可能なものであればよく、例えば、電極を用いた測定器や吸光光度計による測定器などが挙げられる。
【００２９】
生物処理槽２１内の塩化物イオン濃度が海水の塩化物イオン濃度（１．９％）を超えると、微生物の増殖速度や微生物による処理速度が低下し、生物処理槽２１内における生物処理が不安定になることが知られている。これは、塩化物イオン濃度が高いことで、微生物細胞の原形質分離が起こるためと考えられる。したがって、生物処理槽２１内の塩化物イオン濃度を海水の塩化物イオン濃度以下に維持することが求められる。一方、生物処理槽２１内の塩化物イオン濃度が急激に低下すると、微生物の細胞内に水が流入し、細胞が膨張、破裂する。そのため、生物処理槽２１内の塩化物イオン濃度を適切に制御することが重要となる。
【００３０】
本実施形態の水処理システム１ｂでは、給水量制御手段５における塩化物イオン濃度測定器５３によって、生物処理槽２１内の塩化物イオン濃度を計測し、生物処理槽２１内の塩化物イオン濃度が海水の塩化物イオン濃度以下となるように、給水ポンプ５２から供給される脱塩水Ｗ２の水量を制御することで、生物処理槽２１内の環境を微生物の活動に適した状態で維持することができる。
【００３１】
〔第３の実施形態〕
図５は、本発明の第３の実施形態の脱塩水回収装置及び水処理システムの構成を示す概略図である。
第３の実施形態の水処理システム１ｃは、図５に示すように、第２の実施形態における生物処理槽２１の前段には脱カルシウム槽６を設け、生物処理槽２１の後段には逆浸透膜装置３１と別に汚泥処理装置７を設けるものであり、脱カルシウム槽６は薬品供給部６１を備え、汚泥処理装置７は凝集剤添加部７１を備えるものである。また、各装置はそれぞれ通水可能に接続されており、図５には各装置の接続の一例を示している。なお、図５において、給水量制御手段５における塩化物イオン濃度測定器５３は図示を省略している。
【００３２】
第３の実施形態の水処理システム１ｃは、一般的な水処理システムにおいて用いられる各種装置に対して、脱塩水回収装置３からの脱塩水Ｗ２を、薬品の溶媒や装置の洗浄水として利用するためのものである。例えば、脱カルシウム槽６は、生物処理槽２１における生物処理の阻害要因となるカルシウムの除去のための装置であり、汚泥処理装置７は、生物処理槽２１で生じた汚泥を処理するための装置である。なお、本実施形態の水処理システム１ｃとして図５に例示した以外にも、公知の水処理システムに含まれる各種装置を本発明の水処理システムに設け、それぞれの装置に対して、脱塩水回収装置３からの脱塩水Ｗ２を供給可能に構成することができるものである。
【００３３】
図５に示すように、脱カルシウム槽６の薬品供給部６１や汚泥処理装置７の凝集剤添加部７１は、それぞれラインＬ５及びＬ６を介して給水量制御手段５と接続し、薬品供給部６１及び凝集剤添加部７１における溶媒として、脱塩水Ｗ２を供給するものである。また、脱塩水Ｗ２が各装置の洗浄水として利用可能となるように、給水量制御手段５と各装置を接続するものとしている（不図示）。
【００３４】
薬品供給部６１における薬品や凝集剤添加部７１における凝集剤は、水処理に用いられる公知の物質を用いることができる。例えば、薬品供給部６１における薬品としては、脱カルシウムの効果を奏する水溶性物質であればよく、炭酸ナトリウムのようにカルシウムイオンと反応して炭酸カルシウムとして析出させる物質などが挙げられる。また、薬品としては、ｐＨ調整剤として水酸化ナトリウムや塩酸、リン酸などが含まれるものであってもよい。また、凝集剤添加部７１における凝集剤としては、特に限定されず、無機凝集剤、高分子凝集剤のいずれでもよく、また、被処理水中の成分や凝集状態に応じて、無機凝集剤と高分子凝集剤を併用してもよい。例えば、無機凝集剤としては、ポリ硫酸第二鉄、塩化第二鉄、ポリシリカ鉄、硫酸アルミニウム、ポリ塩化アルミニウム等が挙げられ、高分子凝集剤としては、ポリアミノアルキルメタクリレート、ポリエチレンイミン、ハロゲン化ポリジアリルアンモニウム、キトサン、尿素−ホルマリン樹脂等のカチオン性高分子凝集剤、ポリアクリル酸ナトリウム、ポリアクリルアミド部分加水分解物、部分スルホメチル化ポリアクリルアミド、ポリ（２−アクリルアミド）−２−メチルプロパン硫酸塩等のアニオン性高分子凝集剤、ポリアクリルアミド、ポリエチレンオキシド等のノニオン性高分子凝集剤、アクリルアミドとアミノアルキルメタクリレートとアクリル酸ナトリウムの共重合体等の両性高分子凝集剤が挙げられる。凝集状態を良好に維持することができることから、少なくとも無機凝集剤を使用することが好ましい。
【００３５】
水処理システム１ｃでは、脱塩水回収装置３からの脱塩水Ｗ２を、薬品の溶媒や装置の洗浄水として利用しているが、このように他の装置に利用された脱塩水Ｗ２は水処理システム１ｃ内で循環して生物処理槽２１に供給されるため、結果として他の装置に供給された脱塩水Ｗ２も生物処理槽２１における希釈水として機能することになる。
【００３６】
また、水処理システム１ｃでは、希釈水だけではなく、薬品の溶媒や装置の洗浄水としての淡水を外部から供給する必要がない。そのため、山間部など、淡水を入手しにくい地域においても、本実施形態の水処理システムを設けることが可能となる。
【００３７】
なお、上述した実施形態は脱塩水回収装置及び水処理システムの一例を示すものである。本発明に係る脱塩水回収装置及び水処理システムは、上述した実施形態に限られるものではなく、請求項に記載した要旨を変更しない範囲で、上述した実施形態に係る脱塩水回収装置及び水処理システムを変形してもよい。
【００３８】
例えば、本実施形態における脱塩水回収装置は、後段に放流水を処理するための高度処理装置を設けてもよい。高度処理装置としては、生物処理により処理し切れない物質を処理するための装置であればよく、例えば、活性炭吸着塔、重金属捕集のためのキレート吸着塔などが挙げられる。
【００３９】
また、本実施形態における脱塩水回収装置は、生物処理槽を備える既設の水処理システムに追加して配設するものとしてもよい。これにより、塩化物イオン濃度の高い被処理水の処理において、微生物の活性を低下させずに処理を行うことが可能となる。
【産業上の利用可能性】
【００４０】
本発明の脱塩水回収装置、水処理システム及び水処理方法は、塩化物イオンを含む被処理水の生物処理に利用することができる。例えば、浸出水等の排水処理に好適に利用される。また、塩化物イオン濃度の高い工業排水、生活排水の処理にも利用される。
【符号の説明】
【００４１】
１ａ、１ｂ、１ｃ…水処理システム、２…生物処理装置、３…脱塩水回収装置、４…貯留槽、５…水量制御手段、６…脱カルシウム槽、７…汚泥処理装置、２１…生物処理槽、３１…逆浸透膜装置、４１…供給口、５１…受水槽、５２…給水ポンプ、５３…塩化物イオン濃度測定器、６１…薬品供給部、７１…凝集剤添加部、Ｌ１〜Ｌ６…ライン、Ｗ…被処理水、Ｗ１…処理水、Ｗ２…脱塩水、Ｗ３…濃縮水、１０…従来の水処理システム、３２…従来の逆浸透膜装置、Ｌ１１、Ｌ１２…ライン、Ｗ１１…処理水、Ｗ１２…脱塩水、Ｗ１３…濃縮水
【図１】
2019147098.tif 000003
【図２】
2019147098.tif 000004
【図３】
2019147098.tif 000005
【図４】
2019147098.tif 000006
【図５】
2019147098.tif 000007
【図６】
2019147098.tif 000008